【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
制御装置と、
不揮発性メモリと、
プログラム用メモリを有し、
上記プログラム用メモリは、メモリカードとして上記不揮発性メモリと外部装置とのデータアクセスを制御する制御プログラムを複数の規格の分搭載することを特徴とするメモリカード。
【請求項２】
複数の制御装置と、
不揮発性メモリと、
書き込み保護スイッチを有し、
上記の複数の制御装置の夫々は、上記不揮発性メモリと外部装置とのデータアクセスを異なるメモリカードとしての規格で制御するものであり、
上記書き込み保護スイッチが、上記複数の制御装置のうちの一つを選択する切替スイッチとして使用されることを特徴とするメモリカード。
【請求項３】
制御装置と、
不揮発性メモリと、
プログラム用メモリと、
書き込み保護スイッチを有し、
上記プログラム用メモリは、メモリカードとして上記不揮発性メモリと外部装置とのデータアクセスを制御する制御プログラムを複数の規格の分搭載し、
上記書き込み保護スイッチが、複数の制御プログラムのうちの一つを選択する切替スイッチとして使用されることを特徴とするメモリカード。
【請求項４】
制御装置と、
不揮発性メモリと、
プログラム用メモリと、
切替スイッチを有し、
上記プログラム用メモリは、メモリカードとして上記不揮発性メモリと外部装置とのデータアクセスを制御する制御プログラムを複数の規格の分搭載し、
上記制御装置が、上記切替スイッチからの信号の状態を監視して、信号の状態に従って指定されたメモリカードのための制御プログラムを実行することを特徴とするメモリカード。
【請求項５】
請求項４に記載のメモリカードの制御装置において、上記切替スイッチからの信号の状態を監視して、信号の状態に従って指定されたメモリカードのための制御プログラムを実行するプログラム。
【請求項６】
請求項４に記載のメモリカードにおいて、上記切替スイッチからの信号の状態を監視して、信号の状態に従って指定されたメモリカードのための制御プログラムを実行する制御装置。
【請求項７】
制御装置と、
不揮発性メモリと、
プログラム用メモリと、
切替スイッチと、
リセット信号取得回路を有し、
上記プログラム用メモリは、メモリカードとして上記不揮発性メモリと外部装置とのデータアクセスを制御する制御プログラムを複数の規格の分搭載し、
上記制御装置が、上記リセット信号取得回路がリセット信号を取得したときに、上記切替スイッチからの信号の状態を受信して信号の状態に従って指定されたメモリカードのための制御プログラムを実行することを特徴とするメモリカード。
【請求項８】
請求項７に記載のメモリカードの制御装置において、上記リセット信号取得回路がリセット信号を取得したときに、上記切替スイッチからの信号の状態を受信して信号の状態に従って指定されたメモリカードのための制御プログラムを実行するプログラム。
【請求項９】
請求項７に記載のメモリカードにおいて、上記リセット信号取得回路がリセット信号を取得したときに、上記切替スイッチからの信号の状態を受信して信号の状態に従って指定されたメモリカードのための制御プログラムを実行する制御装置。
【請求項１０】
制御装置と、
不揮発性メモリと、
プログラム用メモリと、
切替スイッチを有し、
上記プログラム用メモリは、メモリカードとして上記不揮発性メモリと外部装置とのデータアクセスを制御する制御プログラムを複数の規格の分搭載し、
上記制御装置が、外部装置からの特定の命令を取得したときに、上記切替スイッチからの信号の状態を受信して信号の状態に従って指定されたメモリカードのための制御プログラムを実行することを特徴とするメモリカード。
【請求項１１】
請求項１０に記載のメモリカードの制御装置において、外部装置からの特定の命令を取得したときに、上記切替スイッチからの信号の状態を受信して信号の状態に従って指定されたメモリカードのための制御プログラムを実行するプログラム。
【請求項１２】
請求項１０に記載のメモリカードにおいて、外部装置からの特定の命令を取得したときに、上記切替スイッチからの信号の状態を受信して信号の状態に従って指定されたメモリカードのための制御プログラムを実行する制御装置。
【請求項１３】
制御装置と、
不揮発性メモリと、
プログラム用メモリを有し、
上記プログラム用メモリは、メモリカードとして上記不揮発性メモリと外部装置とのデータアクセスを制御する制御プログラムを複数の規格の分搭載し、
上記制御装置が、外部装置から受信する命令若しくはプロトコルを監視し、特定の命令若しくはプロトコルに従って制御プログラムを選択し、選択されたメモリカードのための制御プログラムを実行することを特徴とするメモリカード。
【請求項１４】
請求項１３に記載のメモリカードの制御装置において、外部装置から受信する命令若しくはプロトコルを監視し、特定の命令若しくはプロトコルに従って制御プログラムを選択し、選択されたメモリカードのための制御プログラムを実行するプログラム。
【請求項１５】
請求項１３に記載のメモリカードにおいて、外部装置から受信する命令若しくはプロトコルを監視し、特定の命令若しくはプロトコルに従って制御プログラムを選択し、選択されたメモリカードのための制御プログラムを実行する制御装置。
【請求項１６】
制御装置と、
不揮発性メモリと、
プログラム用メモリを有し、
上記プログラム用メモリは、外部装置からのコマンドの内容を逐一判定するコマンド判定プログラムと、メモリカード共通部分制御プログラムと、複数の規格分のメモリカード固有制御プログラムを搭載し、
上記メモリカード共通部分制御プログラムは、複数の規格のメモリカードとして上記不揮発性メモリと外部装置とのデータアクセスを制御する制御プログラムであって、複数の規格のメモリカードのための共通する部分の制御を行い、
メモリカード固有制御プログラムは、個別のメモリカードとして上記不揮発性メモリと外部装置とのデータアクセスを制御する制御プログラムであって、個別のメモリカードのための固有の制御を行い、
上記制御装置が、上記コマンド判定プログラムにより外部装置からのコマンドの内容を逐一判定して、少なくともメモリカード共通部分制御プログラム、若しくは複数の規格分のメモリカード固有制御プログラムのうちから、プログラムを選択して実行することを特徴とするメモリカード。
【請求項１７】
制御装置と、
不揮発性メモリと、
プログラム用メモリを有し、
上記プログラム用メモリは、メモリカードとして上記不揮発性メモリと外部装置とのデータアクセスを制御する制御プログラムを、ＳＤカードとＭＭＣとの規格の分搭載することを特徴とするメモリカード。
【請求項１８】
複数の制御装置と、
書き込み保護スイッチを有するメモリカードにおいて、
上記書き込み保護スイッチが、上記複数の制御装置のうちの一つを選択する切替スイッチとして動作するメモリカード制御切替方法。
【請求項１９】
制御装置と、
不揮発性メモリと、
プログラム用メモリと、
書き込み保護スイッチを有し、
上記プログラム用メモリは、メモリカードとして上記不揮発性メモリと外部装置とのデータアクセスを制御する制御プログラムを複数の規格の分搭載するメモリカードにおいて、
上記書き込み保護スイッチが、複数の制御プログラムのうちの一つを選択する切替スイッチとして動作するメモリカード制御切替方法。
【請求項２０】
制御装置と、
不揮発性メモリと、
プログラム用メモリと、
切替スイッチを有し、
上記プログラム用メモリは、メモリカードとして上記不揮発性メモリと外部装置とのデータアクセスを制御する制御プログラムを複数の規格の分搭載するメモリカードにおいて、
上記切替スイッチからの信号の状態を監視して、信号の状態に従って指定されたメモリカードのための制御プログラムを実行するメモリカード制御切替方法。
【請求項２１】
制御装置と、
不揮発性メモリと、
プログラム用メモリと、
切替スイッチと、
リセット信号取得回路を有し、
上記プログラム用メモリは、メモリカードとして上記不揮発性メモリと外部装置とのデータアクセスを制御する制御プログラムを複数の規格の分搭載するメモリカードにおいて、
上記リセット信号取得回路がリセット信号を取得したときに、上記切替スイッチからの信号の状態を受信して信号の状態に従って指定されたメモリカードのための制御プログラムを実行するメモリカード制御切替方法。
【請求項２２】
制御装置と、
不揮発性メモリと、
プログラム用メモリと、
切替スイッチを有し、
上記プログラム用メモリは、メモリカードとして上記不揮発性メモリと外部装置とのデータアクセスを制御する制御プログラムを複数の規格の分搭載するメモリカードにおいて、
外部装置からの特定の命令を取得したときに、上記切替スイッチからの信号の状態を受信して信号の状態に従って指定されたメモリカードのための制御プログラムを実行するメモリカード制御切替方法。
【請求項２３】
制御装置と、
不揮発性メモリと、
プログラム用メモリを有し、
上記プログラム用メモリは、メモリカードとして上記不揮発性メモリと外部装置とのデータアクセスを制御する制御プログラムを複数の規格の分搭載するメモリカードにおいて、
外部装置から受信する命令若しくはプロトコルを監視し、特定の命令若しくはプロトコルに従って制御プログラムを選択し、選択されたメモリカードのための制御プログラムを実行するメモリカード制御切替方法。
【請求項２４】
外部装置からのコマンドの内容を逐一判定し、その判定に従って、
（１）複数の規格のメモリカードとして不揮発性メモリと外部装置とのデータアクセスを制御する制御プログラムであって、複数の規格のメモリカードのための共通する部分の制御を行う共通制御プログラム、又は、
（２）個別のメモリカードとして不揮発性メモリと外部装置とのデータアクセスを制御する制御プログラムであって、個別のメモリカードのための固有の制御を行う一つ又は複数の固有制御プログラムから、
選択して実行するメモリカード制御切替方法。
【請求項２５】
より大きなデータ容量の規格のメモリカードが、より小さなデータ容量のメモリカードの規格をサポートする場合に、より大きな容量の規格のメモリカードのデータ保存用不揮発性メモリの一部の領域を、より小さな容量のメモリカードのデータ保存用の領域をとして使用するメモリカード。
【請求項２６】
より大きなデータ容量の規格のメモリカードが、より小さなデータ容量のメモリカードの規格をサポートする場合に、より大きな容量の規格のメモリカードのデータ保存用不揮発性メモリの一部のデータ領域を、より小さな容量のメモリカードのデータ保存用の領域をとして使用するメモリカード。
【請求項２７】
より大きなデータ容量の規格のメモリカードが、より小さなデータ容量のメモリカードの規格をサポートする場合に、より大きな容量の規格のメモリカードのデータ保存用不揮発性メモリを複数の領域に分割し、より小さなデータ容量のメモリカードの規格と互換性のある動作をする場合に、複数の領域のうちの１つをより小さなデータ容量のメモリカードの規格データ保存用の領域として使用するメモリカード。
【請求項２８】
より大きなデータ容量の規格のメモリカードが、より小さなデータ容量のメモリカードの規格をサポートする場合に、
より大きなデータ容量の規格のメモリカードのデータ保存用不揮発性メモリの領域のディレクトリに、より小さなデータ容量のメモリカードの規格と互換性のある動作をする場合のデータ保存用の領域をとして割り当てるメモリカード。
【請求項２９】
より大きなデータ容量の規格のメモリカードが、より小さなデータ容量のメモリカードの規格をサポートする場合に、
より大きなデータ容量の規格のメモリカードのデータ保存用不揮発性メモリの領域のファイルに、より小さなデータ容量のメモリカードの規格と互換性のある動作をする場合のデータ保存用の領域をとして割り当てるメモリカード。
【請求項３０】
より大きなデータ容量のメモリカードの規格のデータ保存用領域とより小さなデータ容量のメモリカードの規格のデータ保存用領域が設定されており、
より大きなデータ容量の規格のメモリカードが、より小さなデータ容量のメモリカードの規格をサポートする場合に、
いずれの規格にも使用されていないコマンド又はプロトコルを利用してアクセスすることによって、より小さなデータ容量のメモリカードの規格のデータ保存用領域にアクセスすることが可能なメモリカード。
【請求項３１】
ＳＤＨＣメモリカードのデータ保存用不揮発性メモリの一部の領域を、ＳＤカード互換モード時にＳＤカードのデータ保存用の領域をとして使用するＳＤＨＣメモリカード。
【請求項３２】
ＳＤＨＣメモリカードのデータ保存用不揮発性メモリを複数の領域に分割し、ＳＤカード互換モード時に複数の領域のうちの少なくとも一つをＳＤカードのデータ保存用の領域として使用するＳＤＨＣメモリカード。